(57)【要約】本発明はノード及びノードに接続されたデバイスから成るネットワークを検査するための方法に関する。本発明の方法は次のステップを有する：少なくともノード数、ノードアイデンティティ及びノード入力側及びノード出力側の相互接続を有するネットワークトポロジを検出し；ネットワークトポロジ及び／又は修正が検出されるノードにおいてネットワークに接続されたデバイスの数及び／又は種類の変化を検出するために瞬時のネットワークトポロジを持続的に保存されたネットワークのための基準ネットワークトポロジと比較する。有利な実施形態では、基準トポロジは、基準ネットワークトポロジに設けられていないノード、ノード出力側及び／又はノードにおけるデバイスを不活性化することによって復元される。それぞれの有利なネットワークは標準ＩＥＥＥ１３９４ネットワークである。
2004516712.tif 000002
【特許請求の範囲】
【請求項１】
ネットワークの検査のための方法であって、前記ネットワークはネットワークノード及び該ネットワークノードに接続されたデバイスから成り、
少なくともネットワークノード数、ネットワークノードアイデンティティ及びネットワークノード入力側及び出力側の相互接続を有するネットワークトポロジを検出するステップを有する、ネットワークの検査のための方法において、
変化が存在する前記ネットワークに接続されたデバイス、ネットワークトポロジ及び／又はネットワークノードの個数及び／又は種類の変化を識別するために、瞬時のネットワークトポロジを、前記ネットワークのための格納された基準ネットワークトポロジと比較することを特徴とする、ネットワークの検査のための方法。
【請求項２】
ネットワークのための中央ネットワークトポロジメモリ及び分散ネットワークノードメモリから瞬時のネットワークトポロジのためのデータを読み出し、さらに、
読み出されたデータを基準ネットワークトポロジメモリに格納することによって、前記瞬時のネットワークトポロジは基準ネットワークトポロジとして格納される、請求項１記載の方法。
【請求項３】
ネットワークの新たな初期化の際に検査が自動的に実施されることを特徴とする、請求項１記載の方法。
【請求項４】
ネットワークのための中央ネットワークトポロジメモリ及び分散ネットワークノードメモリから瞬時のネットワークトポロジのためのデータを読み出し、
読み出されたデータを比較ネットワークトポロジメモリに格納し、
該比較ネットワークトポロジメモリ及び基準ネットワークトポロジメモリに格納されているデータ内容を比較することによって前記瞬時のネットワークトポロジを基準ネットワークトポロジと比較することを特徴とする、請求項１〜３のうちの１項記載の方法。
【請求項５】
基準ネットワークトポロジに設けられていないネットワークノード、ネットワークノード出力側及び／又は前記ネットワークノード出力側のデバイスを自動的に不活性化することによって前記基準ネットワークトポロジを復元することを特徴とする、請求項１〜４のうちの１項記載の方法。
【請求項６】
ネットワークはＩＥＥＥ１３９４標準に従って検査される、請求項１〜５のうちの１項記載の方法。
【請求項７】
ネットワークトポロジにおいて統合接続されたネットワークノード及びネットワークノードにおけるデバイスを有するネットワークであって、前記ネットワークノードはそれぞれ少なくともネットワークノードアイデンティティ及びネットワークノード出力側の相互接続を示すためのデータの格納のためのメモリを有し、さらに前記ネットワークは前記ネットワークノードのメモリの読み出しによって少なくともネットワークノード数、ネットワークノードアイデンティティ及びネットワークノード出力側の相互接続を有する瞬時のネットワークトポロジを検出するように構成されている、ネットワークトポロジにおいて統合接続されたネットワークノード及びネットワークノードにおけるデバイスを有するネットワークにおいて、
前記ネットワークに対する基準ネットワークトポロジを格納するためのメモリが設けられ、
前記ネットワークを検査して変化が存在する前記ネットワークに接続されたデバイス、ネットワークトポロジ及び／又はネットワークノードの個数及び／又は種類の変化を識別するために、前記瞬時のネットワークトポロジを格納された基準ネットワークトポロジと比較するための比較ユニットが設けられた、ネットワークトポロジにおいて統合接続されたネットワークノード及びネットワークノードにおけるデバイスを有するネットワーク。
【請求項８】
ネットワークは要求に応じて検出された瞬時のネットワークトポロジを基準ネットワークトポロジとして基準ネットワークトポロジのためのメモリに自動的に格納するように構成されていることを特徴とする、請求項７記載のネットワーク。
【請求項９】
新たな初期化又はネットワーク構成要素の付加乃至は除去の後で、ネットワークを自動的に検査するように構成されていることを特徴とする、請求項７又は８記載のネットワーク。
【請求項１０】
検出された瞬時のネットワークトポロジを格納するための比較ネットワークトポロジメモリが設けられ、比較ユニットは前記比較ネットワークトポロジメモリ及び基準ネットワークトポロジメモリに格納されているデータ内容を比較するように構成されていることを特徴とする、請求項７〜９のうちの１項記載のネットワーク。
【請求項１１】
ネットワークは、基準ネットワークトポロジには設けられていないネットワークノード、ネットワークノード出力側及び／又は該ネットワークノード出力側におけるデバイスを自動的に不活性化することによって基準ネットワークトポロジを復元するように構成されていることを特徴とする、請求項７〜１０のうちの１項記載のネットワーク。
【請求項１２】
ネットワークはＩＥＥＥ１３９４標準に相応することを特徴とする、請求項７〜１１のうちの１項記載のネットワーク。
【発明の詳細な説明】
【０００１】
本発明は、ネットワークの検査のための方法に関し、このネットワークはネットワークノード及びネットワークノードに接続されたデバイスから成り、少なくともネットワークノード数、ネットワークノードアイデンティティ及びネットワークノード入力側及び出力側の相互接続を有するネットワークトポロジが検出される。
【０００２】
本発明はさらにネットワークトポロジにおいて統合接続されたネットワークノード及びネットワークノードにおけるデバイスを有するネットワークに関し、ネットワークノードはそれぞれ少なくともネットワークノードアイデンティティを示すためのデータの格納のためのメモリを有し、さらにネットワークはネットワークノードのメモリの読み出し及びこの読み出しの際のデータ伝送の経過の評価によって少なくともネットワークノード数、ネットワークノードアイデンティティ及びネットワークノード入力側及び出力側の相互接続を有する瞬時のネットワークトポロジを検出するように構成されている。
【０００３】
ＩＥＥＥ１３９４標準では、高いデータ伝送レートを有する異なるデバイス間のシリアルなバス接続を提供するネットワークノードを有するネットワークが記述されている。このようなネットワークはＦｉｒｅＷｉｒｅ又はｉＬｉｎｋという名前でも公知である。このネットワークは基本的に１つ又は複数のネットワークノード出力側を有するネットワークノードから形成される。ネットワークノードは例えばラジオ、モニタ、ＣＤプレイヤ等々のようなデバイスに含まれる。ネットワークノード入力側及び出力側には更に別のネットワークノードが接続される。
【０００４】
ネットワークの上位ノードはルート（ｒｏｏｔ）と呼ばれる。原理的にはどのノードでもルートになり得る。２つのノードは互いに親子関係を有するトポロジにあり、つまり、上位ノードは親（ｐａｒｅｎｔ）と呼ばれ、下位ノードは子（ｃｈｉｌｄ）と呼ばれる。従って、ノードは同時に一つのノードに対しては親、別のノードに対しては子でありうる。
【０００５】
１つの他のネットワークノードにだけ接続されているネットワークノードは終端ノード（リーフ（ｌｅａｆ））と呼ばれる。２つ以上の接続されたネットワークノードを有するネットワークノードはブランチ（ｂｒｕｎｃｈ）と呼ばれる。
【０００６】
本発明の基礎となるネットワークは、自動的にホストプロセッサなしでコンフィギュレートされるように構成されており、ネットワークトポロジの識別、つまり、ネットワークのコンフィギュレーションはネットワークのリセットの後で実施される。ネットワークのリセットは、例えばデバイス又はネットワークノードがこのネットワークから除去されるか又は別のデバイス又はネットワークノードがこのネットワークに付加される場合に初期化される。ネットワークのコンフィギュレーションは通常は３つのステップで行われる：
１．バス初期化：
バス初期化はリセット命令を介してトリガされ、個々のネットワークノードはリセット信号を他のネットワークノードに転送する。ネットワークノードでは以前のネットワークトポロジに関する全ての情報が消去され、ネットワークノードが初期化状態に移行される。
【０００７】
２．ブランチ識別：
ブランチ識別の際にはネットワークのトポロジが識別され、ネットワークノードの互いの依存関係が識別される。「親」及び「子」としてのネットワークノードの互いの自動的な識別によってルートネットワークノードが出発点ノードとして決定され、この出発点ノードはバス乃至はネットワークマネージメントを引き受ける。
【０００８】
３．自己識別：
ネットワークマネージメントのために、ネットワークトポロジ及びネットワークノードの物理的特性が分からなくてはならない。このためにネットワークノードは自己識別の間に最も重要な物理的特性をセルフＩＤパケットにおいて伝送する。個々のネットワークノードのデータの伝送はネットワークのトポロジ配置の順番で行われ、この結果、ネットワークにおけるネットワークノードの位置が識別される。ルートネットワークノードは「トポロジマップ」内に接続されたネットワークノードの数及びこれらのネットワークノードのセルフＩＤパケットを格納する。トポロジマップに基づいて、ネットワークトポロジ、ネットワークノード番号“ｐｈｙ＿ｉｄ”及び接続されたネットワークノードの物理的特性が問い合わせられる。
【０００９】
ネットワークコンフィギュレーションのために各ネットワークノードにレジスタメモリが設けられ、このレジスタメモリにおいてネットワークノード識別番号乃至はデバイス識別番号ならびにネットワークノード乃至はデバイスに関するその他の情報が格納される。各デバイス乃至は各ネットワークノードには一意的なメーカの識別子“ベンダＩＤ”が設けられ、この“ベンダＩＤ”も同様にレジスタメモリに格納される。さらに、集積回路の一意的な番号がレジスタメモリに格納され（チップＩＤ）、この集積回路にはネットワークノードを実現するためのハードウェア及びソフトウェアが組み込まれている。付加情報としてネットワークノードの物理的特性及び所属のネットワーク出力側（ポート）の状態がレジスタメモリに記入される。特性は例えば速度（ｓｐ＝スピード）、遅延時間（ｄｅｌ＝ディレイ）、休止間隔（ｇａｐ−ｃｎｔ＝ギャップ・カウント）、電圧クラス（ｐｗｒ＝パワークラス）等々でよい。
【００１０】
ルートネットワークノードは通常はいわゆるネットワークトポロジマップを格納するためにレジスタメモリを使用し、このネットワークトポロジマップは接続されたネットワークノードの個数及びネットワークノードからルートネットワークノードへ送信されるそれぞれのネットワークノードの特性に関する情報（Ｓｅｌｆ−ＩＤ−Ｐａｃｋｅｔｓ）の個数を含む。各ネットワークノードにはこの場合ルートネットワークノードによってネットワークノード番号“ｐｈｙ＿ｉｄ”が割り当てられる。ネットワークノードからルートネットワークノードに送信される情報（Ｓｅｌｆ−ＩＤ−Ｐａｃｋｅｔｓ）はネットワークノード番号（ｐｈｙ＿ｉｄ）、休止個数（ｇａｐ−ｃｎｔ）、速度（ｓｐ）、遅延（ｄｅｌ），電圧クラス（ｐｗｒ）ならびにその他の情報を含む。
【００１１】
こうして、データ伝送が一つのネットワークノードから別のネットワークノードへと行われる。
【００１２】
ＩＥＥＥ１３９４標準によってシリアルバスが定義されている。類似のバスはＭＯＳＴ、ＨｉＱｏＳ、ＣＡＮ、ユニバーサル・シリアル・バス（ＵＳＢ）等々であり、これらのバスも同様に上位概念記載のネットワークである。
【００１３】
従来のネットワークでは例えばデバイスの付加又は除去によるネットワークトポロジの変化の後でネットワークのリセットが実施され、前のネットワークトポロジに関する情報が失われる。これは、未知のデバイスが付加されるか又はネットワークに不正操作が加えられる場合に、とりわけ問題である。
【００１４】
従って、本発明の課題は、ネットワーク及び接続されるデバイス及びネットワークノードにおける変化が識別できる、上位概念記載のネットワークの検査のための方法を提供することである。
【００１５】
上記課題は、本発明の方法により、変化が存在するネットワークに接続されたデバイス、ネットワークトポロジ及び／又はネットワークノードの個数及び／又は種類の変化を識別するために、瞬時のネットワークトポロジをネットワークのために格納された基準ネットワークトポロジと比較することによって解決される。
【００１６】
従って、基準ネットワークトポロジを持続的に格納することが提案され、この基準ネットワークトポロジはネットワークのリセットの際に変更又は消去されない。こうして、瞬時のネットワークトポロジは基準ネットワークトポロジと比較され、ネットワークにおける変化が識別される。
【００１７】
基準ネットワークトポロジは有利には要求に応じて瞬時のネットワークトポロジを基準ネットワークトポロジとして受け取ることによって格納され、この基準ネットワークトポロジには瞬時のネットワークトポロジのためのデータがネットワークのための中央ネットワークトポロジメモリから及び分散ネットワークノードメモリから読み出され、読み出されたデータが基準ネットワークトポロジメモリに格納される。
【００１８】
ネットワークの検査はネットワークの新たな初期化の際に自動的に実施される。
【００１９】
瞬時のネットワークトポロジと基準ネットワークトポロジの比較は、有利には、比較ネットワークトポロジメモリ及び基準ネットワークトポロジメモリに格納されているデータ内容の比較によって行われる。瞬時のネットワークトポロジのためのデータはこの場合ネットワークのための中央ネットワークトポロジメモリから及び分散ネットワークノードメモリから読み出され、比較ネットワークトポロジメモリに格納される。
【００２０】
基準ネットワークトポロジがこの基準ネットワークトポロジに設けられていないネットワークノード、ネットワークノード出力側及び／又はネットワークノード出力側のデバイスの自動的な不活性化によって復元されるととりわけ有利である。こうして、ネットワークの監視だけでなく、ネットワークの不正操作に対する安全性が確保され、許されない未知のデバイスによる悪用が排除される。
【００２１】
この方法は有利にはＩＥＥＥ１３９４標準に相応するネットワークに対して適用され、しかも同様にユニバーサル・シリアル・バス（ＵＳＢネットワーク）又はＭＯＳＴネットワーク等々にも使用される。
【００２２】
上記の本発明に相応して、上位概念記載のネットワークにおいてネットワークのための基準ネットワークトポロジを持続的に格納するためのメモリと、瞬時のネットワークトポロジと基準ネットワークトポロジとを比較しネットワークを検査し変化が存在するこのネットワークに接続されたデバイス、ネットワークトポロジ及び／又はネットワークノードの個数及び／又は種類の変化を識別するための比較ユニットとが設けられる。
【００２３】
ネットワークは有利には要求に応じて検出された瞬時のネットワークトポロジを基準ネットワークトポロジとして基準ネットワークトポロジのためのメモリに自動的に格納するように構成される。こうして、許容されうるものとして識別された瞬時のネットワークトポロジが基準ネットワークトポロジとして将来の検査のために定義される。
【００２４】
ネットワークはさらに有利には新たな初期化又はネットワーク構成要素の付加乃至は除去の後でこのネットワークの自動的な検査をするように構成されている。
【００２５】
さらに、検出された瞬時のネットワークトポロジの格納のための比較ネットワークトポロジメモリがネットワークにおいて、とりわけルートネットワークノードにおいて設けられていると有利である。比較ユニットはこの場合比較ネットワークトポロジメモリ及び基準ネットワークトポロジメモリに格納されているデータ内容を比較するように構成されている。
【００２６】
ネットワーク及びとりわけネットワークノードは、とりわけ有利には、基準ネットワークトポロジに設けられていないネットワークノード、ネットワークノード出力側及び／又はネットワークノード出力側におけるデバイスの自動的な不活性化によって基準ネットワークトポロジを復元するように構成されている。
【００２７】
ネットワークは、有利にはＩＥＥＥ１３９４標準又は例えばユニバーサル・シリアル・バス標準（ＵＳＢ、ＭＯＳＴ、ＨｉＱｏＳ、ＣＡＮ等々）のような相応の他の標準に相応する。
【００２８】
本発明を次に添付の図面に基づいてＩＥＥＥ１３９４標準に相応するネットワークの例において詳しく説明する。
【００２９】
図１は６つのネットワークノードを有する簡単なネットワークの概略図を示し、
図２は図１から変更されたネットワークの概略図を示し、
図３は比較ネットワークトポロジメモリに瞬時のネットワークトポロジを読み込むための方法の概略図を示し、
図４は基準ネットワークトポロジを初期化し、瞬時のネットワークトポロジを検査するための方法の概略図を示し、
図５は１３９４標準によるネットワークトポロジマップのメモリ内容のテーブル状図示を示し、
図６は１３９４標準によるネットワークノードから送信されるデータパケット「セルフＩＤパケット」のテーブル状図示を示し、
図７は１３９４標準によるネットワークノードのネットワーク特性に対する最小限のレジスタメモリ内容を示し、
図８は１３９４標準によるネットワークノードのレジスタメモリの一般的なメモリ内容を示す。
【００３０】
図１は６つのネットワークノード、ノードＡ〜Ｅから成るネットワークの概略図を示す。このネットワークの出発点はネットワークノード、ノードＡが形成しており、このノードＡはルートネットワークノードと呼ばれ、ルートネットワークノードとしてネットワークマネージメントを引き受ける。このネットワークノード、ノードＡにはアイデンティティ番号ｐｈｙ＿ｉｄ＝４が割り当てられている。このノードは３つのネットワークノード出力側Ａ、Ｂ及びＣを有する。ネットワークノード出力側Ａにはアイデンティティ番号ｐｈｙ＿ｉｄ＝１を有する別のネットワークノード、ノードＢがポートＣにおいて接続されており、ネットワークノード、ノードＡは親（ｐａｒｅｎｔ）と呼ばれ、その下位にあるネットワークノード、ノードＢは「子」（ｃｈｉｌｄ）と呼ばれる。
【００３１】
ネットワークノード端子Ａ及びＢには識別番号ｐｈｙ＿ｉｄ＝０及びｐｈｙ＿ｉｄ＝２を有するさらに別のネットワークノード、ノードＣ及びノードＤが接続されている。これらのネットワークノード、ノードＣ及びノードＤはこのネットワークの終端を形成し、従って終端ノード（リーフ）と呼ばれる。これらの終端ノードもネットワークノード、ノードＢに対して子ノードを形成し、このノードＢはこれに関して親ノードである。
【００３２】
ルートネットワークノード、ノードＡのネットワーク端子Ｂには識別番号ｐｈｙ＿ｉｄ＝３を有するさらに別の終端ノード、ノードＥが接続されている。
【００３３】
ネットワークトポロジは、「親」及び「子」としてのネットワークノードの互いの対応配置によってならびにネットワークノード及びネットワークノードに接続されたデバイスの物理的特性によって決定される。このネットワークは例えばＣＤプレイヤ、ビデオレコーダ、カムコーダ、モニタ等々に対するディジタルオーディオ及びビデオアプリケーションに適している。ルートネットワークノードは図示された例ではディジタルオーディオブロードキャスト標準ＤＡＢによるデバイスに対する伝送インターフェースを形成している。
【００３４】
図２は例として図１のネットワークの変更を示し、ネットワークノード、ノードＤ及びノードＥが交換されている。アイデンティティ番号ｐｈｙ＿ｉｄはネットワークにおけるネットワークノードの位置に依存したままであり、この結果、ネットワークノード、ノードＥが以前この位置にあったネットワークノード、ノードＤの識別番号ｐｈｙ＿ｉｄ＝２を得る。これに相応することがネットワークノード、ノードＤに対しても妥当し、このノードＤは識別番号ｐｈｙ＿ｉｄ＝３を得る。
【００３５】
ネットワーク乃至は個々のネットワークノードは、ネットワークトポロジを自動的に識別できるように構成されている。このネットワークトポロジはこの場合ルートノードのいわゆるトポロジマップに格納される。
【００３６】
ネットワークトポロジの検出は図３に図示されている。各ネットワークノードはレジスタメモリＲＯＭを有することが見て取れる。このレジスタメモリＲＯＭには少なくともネットワークノードアイデンティティ及びネットワークノード出力側の相互接続が格納されている。各ネットワークノードには一意的なメーカ番号ベンダＩＤならびにネットワークノードの物理的特性に関する他の情報が不揮発的に書き込まれている。内容については後でさらに詳しく図５〜８を参照して説明する。
【００３７】
ＩＥＥＥ１３９４標準に従って、ネットワークノード又はデバイスが除去乃至は付加されるやいなや瞬時のネットワークトポロジが自動的に検出される。
【００３８】
ノードの除去又は付加の後でリセットがトリガされる。対応配置は新たに与えられる、つまり、他のノードがルートになり得る。情報の伝送はルートノードによる要求の絶え間ない更新なしに部分的には自動的に行われる。
【００３９】
その後、下位のネットワークノード、ノード０〜ノードＮ−２からルートノードに情報が供給され、ネットワークにおけるネットワークノード数、識別番号ｐｈｙ＿ｉｄ、ネットワークノードの通信特性及び物理的特性に関する情報等々がいわゆるトポロジマップに格納される。トポロジマップの詳細な内容は後で図５に基づいて説明する。
【００４０】
トポロジマップに基づいてネットワークにおける通信がルートノードによって制御される。
【００４１】
本発明によれば瞬時の比較ネットワークトポロジはいわゆるＩＤマップメモリに格納され、このＩＤマップメモリにおいて、トポロジマップ及びネットワークノードレジスタメモリＲＯＭからのデータ内容が読み出され、所定のやり方でこのＩＤマップメモリに格納される。
【００４２】
図４は、ネットワークの最初の初期化の際に要求に応じて基準ネットワークトポロジとして使用すべき瞬時のネットワークトポロジに基づいて基準ネットワークトポロジが格納されることを示す。これについては図３で既に示したようにネットワークノード０からノードＮ−１までのトポロジマップ及びレジスタメモリＲＯＭが読み込まれる。
【００４３】
要求に応じて又はネットワークのリセットの際に、瞬時のネットワークトポロジが基準ネットワークトポロジと比較されることによって、ネットワークは自動的に検査される。例えばネットワークノード又は端末がネットワークに付加されるか又はネットワークから除去されるやいなや、リセットはＩＥＥＥ１３９４標準により自動的に実施される。リセットは、例えばスタンバイモードからオンモードへのパワーモードの変化の場合のような他の理由からトリガされることもある。
【００４４】
ネットワークの検査は次のように行われる。すなわち、比較ネットワークトポロジがネットワークノードのトポロジマップ及びレジスタメモリＲＯＭのデータ内容の読み込みによって検出され、持続的に格納される基準ネットワークトポロジ（基準ＩＤマップ）と比較される。
【００４５】
ネットワークの変化はモニタに示され、例えばプリンタを介して記録されるか、さもなければ訂正される。基準ネットワークトポロジの復元は、許されないのに付加されたネットワークノード又はデバイスが自動的に不活性化されることにより行われる。
【００４６】
図５はＩＥＥＥ１３９４標準によるトポロジマップのデータ内容を示す。トポロジマップはまず最初に例えば長さ（ｌｅｎｇｔｈ）のような基本情報ならびにノード数（ｎｏｄｅ−ｃｏｕｎｔ）及びネットワークノードから送信されるデータパケットの個数（ｓｅｌｆ−ｉｄ−ｃｏｕｎｔ）のようなネットワークに関する基本情報から成る。さらに、ネットワークノードから送信されるデータパケットは相次いで格納される。
【００４７】
ネットワークノードからは、図６に図示されたデータパケットがルートネットワークノードに送信される。これらのデータパケット（Ｓｅｌｆ−ＩＤ−Ｐａｃｋｅｔｓ）は基本的にネットワークノードの識別番号ｐｈｙ＿ｉｄ、休止数（ｇａｐ−ｃｏｕｎｔ）、速度（ｓｐ）、遅延時間（ｄｅｌ）、電圧クラス（ｐｗｒ）及びネットワークノード端子Ｐ０、Ｐ１及びＰ２に関する情報から成る。ｐｈｙ＿ｉｄは、リセットプロセスによって自動的に与えられるものであり、ネットワークノードのメモリに格納されるネットワークノードの物理的特性ではない。識別番号ｐｈｙ＿ｉｄはセルフＩＤパケットの伝送の際の順番によって互いに子／親の順序に従って一意的に決定される。
【００４８】
ネットワークトポロジはデータパケットに基づいて一意的に、識別番号ｐｈｙ＿ｉｄ、ネットワークノード端子Ｐ０、Ｐ１及びＰ２ならびにネットワークノード数「ノード・カウント」に基づいて一意的に決定される。更に別の情報はネットワークの検査のためには必ずしも必要ではないが、場合によってはネットワークノード又は端末における不正操作を識別するために役立つこともありうる。
【００４９】
相応に、ネットワークノードのレジスタメモリＲＯＭの読み出しの際にはならびに比較ネットワークトポロジ乃至は基準ネットワークトポロジの作成のためのトポロジマップの読み出しの際には、全データ内容ではなく必要なデータ内容だけが読み出され、互いに比較されなければならない。
【００５０】
図７はネットワークノードのレジスタメモリの最小限のデータ内容を示し、このデータ内容はプリアンブル０１Ｈ及び一意的なメーカ識別子ベンダＩＤから成る。さらに、図８に図示された付加情報はネットワークノードのレジスタメモリに格納される。しかし、これらのデータの内容は以下においては重要ではない。よって、ＩＥＥＥ１３９４標準を参照のこと。
【００５１】
上位概念記載のネットワークにとって重要なのは、ネットワークノードが自動的にデータパケット（ｓｅｌｆ−ｉｄ−ｐａｃｋｅｔｓ）を発生し、ルートネットワークノードに送信し、この結果、トポロジマップにネットワークノードの物理的特性及び所属のネットワークノード端子の状態が記入されるように構成されていることである。
【００５２】
通常は相応のネットワーク管理プロシージャが相応の特化された集積回路（チップ）にインプリメントされる。従って、ネットワークの検査及びネットワークマネージメントはホストコンピュータによってではなく相応の特化された集積回路によって又はソフトウェアにおいて実施される。
【図面の簡単な説明】
【図１】
６つのネットワークノードを有する簡単なネットワークの概略図を示す。
【図２】
図１から変更されたネットワークの概略図を示す。
【図３】
比較ネットワークトポロジメモリに瞬時のネットワークトポロジを読み込むための方法の概略図を示す。
【図４】
基準ネットワークトポロジを初期化し、瞬時のネットワークトポロジを検査するための方法の概略図を示す。
【図５】
１３９４標準によるネットワークトポロジマップのメモリ内容のテーブル状図示を示す。
【図６】
１３９４標準によるネットワークノードから送信されるデータパケット「セルフＩＤパケット」のテーブル状図示を示す。
【図７】
１３９４標準によるネットワークノードのネットワーク特性に対する最小限のレジスタメモリ内容を示す。
【図８】
１３９４標準によるネットワークノードのレジスタメモリの一般的なメモリ内容を示す。
【符号の説明】
ｐｈｙ＿ｉｄ  ネットワークノードの識別番号
ｇａｐ−ｃｎｔ  休止個数
ｓｐ  速度
ｄｅｌ  遅延
ｐｗｒ  電圧クラス
ＲＯＭ  レジスタメモリ
Ｐ０、Ｐ１及びＰ２  ネットワークノード端子
【図１】
2004516712.tif 000003
【図２】
2004516712.tif 000004
【図３】
2004516712.tif 000005
【図４】
2004516712.tif 000006
【図６】
2004516712.tif 000007
【国際公開パンフレット】
2004516712.tif 000008
2004516712.tif 000009
2004516712.tif 000010
2004516712.tif 000011
2004516712.tif 000012
2004516712.tif 000013
2004516712.tif 000014
2004516712.tif 000015
2004516712.tif 000016
2004516712.tif 000017
2004516712.tif 000018
2004516712.tif 000019
2004516712.tif 000020
2004516712.tif 000021
2004516712.tif 000022
2004516712.tif 000023
2004516712.tif 000024
2004516712.tif 000025
2004516712.tif 000026
2004516712.tif 000027
2004516712.tif 000028
2004516712.tif 000029
【手続補正書】
【提出日】平成14年7月5日(2002.7.5)
【手続補正１】
【補正対象書類名】明細書
【補正対象項目名】特許請求の範囲
【補正方法】変更
【補正の内容】
【特許請求の範囲】
【請求項１】
ネットワークの検査のための方法において、前記ネットワークはネットワークノード及び該ネットワークノードに接続されたデバイスから成り、前記方法は以下のステップを有する：
少なくともネットワークノード数、ネットワークノードアイデンティティ及びネットワークノード入力側及び出力側の相互接続を有するネットワークトポロジを検出するステップを有し、
変化が存在する前記ネットワークに接続されたデバイス、ネットワークトポロジ及び／又はネットワークノードの個数及び／又は種類の変化を識別するために、瞬時のネットワークトポロジを前記ネットワークのための格納された基準ネットワークトポロジと比較するステップを有し、
前記基準ネットワークトポロジに設けられていないネットワークノード、ネットワークノード出力側及び／又はネットワークノード出力側のデバイスを自動的に不活性化することによって前記基準ネットワークトポロジを復元するステップを有する、ネットワークの検査のための方法。
【請求項２】
ネットワークのための中央ネットワークトポロジメモリ及び分散ネットワークノードメモリから瞬時のネットワークトポロジのためのデータを読み出し、さらに、
読み出されたデータを基準ネットワークトポロジメモリに格納することによって、前記瞬時のネットワークトポロジは基準ネットワークトポロジとして格納される、請求項１記載の方法。
【請求項３】
ネットワークの新たな初期化の際に検査が自動的に実施されることを特徴とする、請求項１記載の方法。
【請求項４】
ネットワークのための中央ネットワークトポロジメモリ及び分散ネットワークノードメモリから瞬時のネットワークトポロジのためのデータを読み出し、
読み出されたデータを比較ネットワークトポロジメモリに格納し、
該比較ネットワークトポロジメモリ及び基準ネットワークトポロジメモリに格納されているデータ内容を比較することによって前記瞬時のネットワークトポロジを基準ネットワークトポロジと比較することを特徴とする、請求項１〜３のうちの１項記載の方法。
【請求項５】
ネットワークはＩＥＥＥ１３９４標準に従って検査されることを特徴とする、請求項１〜４のうちの１項記載の方法。
【請求項６】
ネットワークトポロジにおいて統合接続されたネットワークノード及びネットワークノードにおけるデバイスを有するネットワークであって、前記ネットワークノードはそれぞれ少なくともネットワークノードアイデンティティ及びネットワークノード出力側の相互接続を示すためのデータの格納のためのメモリを有し、さらに前記ネットワークは前記ネットワークノードのメモリの読み出しによって少なくともネットワークノード数、ネットワークノードアイデンティティ及びネットワークノード出力側の相互接続を有する瞬時のネットワークトポロジを検出するように構成されている、ネットワークトポロジにおいて統合接続されたネットワークノード及びネットワークノードにおけるデバイスを有するネットワークにおいて、
前記ネットワークに対する基準ネットワークトポロジを格納するためのメモリが設けられ、
前記ネットワークを検査して変化が存在する前記ネットワークに接続されたデバイス、ネットワークトポロジ及び／又はネットワークノードの個数及び／又は種類の変化を識別するために、前記瞬時のネットワークトポロジを格納された基準ネットワークトポロジと比較するための比較ユニットが設けられ、
前記ネットワークは、前記基準ネットワークトポロジには設けられていないネットワークノード、ネットワークノード出力側及び／又は該ネットワークノード出力側におけるデバイスを自動的に不活性化することによって前記基準ネットワークトポロジを復元するように構成されていることを特徴とする、ネットワークトポロジにおいて統合接続されたネットワークノード及びネットワークノードにおけるデバイスを有するネットワーク。
【請求項７】
ネットワークは要求に応じて検出された瞬時のネットワークトポロジを基準ネットワークトポロジとして基準ネットワークトポロジのためのメモリに自動的に格納するように構成されていることを特徴とする、請求項６記載のネットワーク。
【請求項８】
新たな初期化又はネットワーク構成要素の付加乃至は除去の後で、ネットワークを自動的に検査するように構成されていることを特徴とする、請求項６又は７記載のネットワーク。
【請求項９】
検出された瞬時のネットワークトポロジを格納するための比較ネットワークトポロジメモリが設けられ、比較ユニットは前記比較ネットワークトポロジメモリ及び基準ネットワークトポロジメモリに格納されているデータ内容を比較するように構成されていることを特徴とする、請求項６〜８のうちの１項記載のネットワーク。
【請求項１０】
ネットワークはＩＥＥＥ１３９４標準に相応することを特徴とする、請求項６〜９のうちの１項記載のネットワーク。
【国際調査報告】
2004516712.tif 000030
2004516712.tif 000031
2004516712.tif 000032
2004516712.tif 000033